(57)【要約】【課題】白色校正板としてセラミックよりも安価な材料を採用した場合であっても、高精度に白色校正を行うことができる測色装置及び白色校正方法を提供する。【解決手段】係数記憶部２５２は、透明保護部材１２２が取り外された第１の条件で白色校正板１２３を測色したときの測色データＤ１と、透明保護部材１２２が取り付けられた第２の条件で白色校正板１２３を測色したときの測色データＤ２とに基づいて予め算出された補正係数Ｋを記憶する。白色校正値算出部２５４は、補正係数Ｋを基に、値付け値記憶部２５１に記憶された基準値付け値Ａを第２の条件で測色された基準値付け値Ａ´に補正し、Ａ´／Ｄ３により、白色校正値Ｗを算出する。色情報算出部２５６は、白色校正値算出部２５４により算出された白色校正値Ｗと試料測色データＤ４とを用いて、試料の色情報を算出する。【選択図】図４
2010085327.tif 000002
【特許請求の範囲】
【請求項１】
白色樹脂により構成された白色校正板と、前記白色校正板を保護するために前記白色校正板の表面に設けられた透明保護部材とを備える白色校正ユニットを用いて白色校正を行い、試料を測色する測色装置であって、
前記透明保護部材が取り外された第１の条件で基準測定器により予め値付けされた前記白色校正板の基準値付け値を記憶する値付け値記憶手段と、
前記第１の条件で前記白色校正板を測色したときの第１の測色データと、前記透明保護部材が取り付けられた第２の条件で前記白色校正板を測色したときの第２の測色データとに基づいて予め算出されたものであり、前記基準値付け値を前記第２の条件で値付けされた基準値付け値に補正するための補正係数を記憶する係数記憶手段と、
試料を測色する際の白色校正値を得るために、前記第２の条件で前記白色校正板を測色したときの校正時測色データを取得する取得手段と、
前記補正係数を基に、前記値付け値記憶手段に記憶された基準値付け値を前記第２の条件で測色された基準値付け値に補正し、補正した基準値付け値と、前記校正時測色データとを基に、前記白色校正値を算出する白色校正値算出手段とを備えることを特徴とする測色装置。
【請求項２】
前記補正係数は、前記第１の測色データをＤ１、前記第２の測色データをＤ２、前記補正係数をＫとすると、Ｋ＝Ｄ２／Ｄ１により算出されることを特徴とする請求項１記載の測色装置。
【請求項３】
前記白色校正値算出手段は、前記校正時測色データをＤ３、前記基準値付け値をＡ、前記白色校正値をＷとすると、Ａ・Ｋにより基準値付け値Ａを補正し、補正した基準値付け値Ａ´とすると、Ａ´／Ｄ３により前記白色校正値Ｗを算出することを特徴とする請求項２記載の測色装置。
【請求項４】
前記取得手段は、試料を測色したときの試料測色データＤ４を取得し、
前記白色校正値算出手段により算出された白色校正値Ｗと試料測色データＤ４とを基に、前記試料の色情報を算出する色情報算出手段を更に備えることを特徴とする請求項１又は２記載の測色装置。
【請求項５】
白色樹脂により構成された白色校正板と、前記白色校正板を保護するために白色校正板の表面に設けられた透明保護部材とを備える白色校正ユニットを用いて白色校正を行い、試料を測色する測色装置の白色校正方法であって、
前記透明保護部材が取り外された第１の条件で基準測定器により予め値付けされた前記白色校正板の基準値付け値を取得するステップと、
前記第１の条件で前記白色校正板を測色したときの第１の測色データと、前記透明保護部材が取り付けられた第２の条件で前記白色校正板を測色したときの第２の測色データとに基づいて、前記基準値付け値を前記第２の条件で値付けされた基準値付け値に補正するための補正係数を算出するステップと、
試料を測色する際の白色校正値を得るために、前記第２の条件で前記白色校正板を測色したときの校正時測色データを取得するステップと、
前記補正係数を基に、前記基準値付け値を前記第２の条件で測色された基準値付け値に補正し、補正した基準値付け値と、前記校正時測色データとを基に、前記白色校正値を算出するステップとを備えることを特徴とする白色校正方法。
【発明の詳細な説明】
【技術分野】
【０００１】
本発明は、白色校正板と、白色校正板を保護するために白色校正板の表面に設けられた透明保護部材とを備える白色校正ユニットを用いて白色校正を行い、試料を測色する測色装置及び、その測色装置を用いた白色校正方法に関するものである。
【背景技術】
【０００２】
測色装置においては、試料の測色に際して、白色校正板を備える白色校正ユニットを測色して白色校正値を算出し、この白色校正値を用いて試料の測色データを補正して色情報を算出することなされている。白色校正板としては、強度の高いセラミック又はガラスが使用されるのが一般的である。しかしながら、セラミック又はガラスは加工が困難なため、白色校正ユニットのコストが嵩むという問題がある。
【０００３】
また、本願発明に関連する技術として、特許文献１には、異なる距離及び角度において白色校正板を測色することで校正データ組を取得し、試料の測色値を補正する技術が開示されている。
【特許文献１】特開２００６−２２７０１１号公報
【発明の開示】
【発明が解決しようとする課題】
【０００４】
ところで、白色校正板としてセラミックに代えて例えば樹脂のような安価な材料を採用すれば、コスト削減を図ることができるが、樹脂はセラミックより強度が低いため、表面に微細な傷が発生しやすくなり、高精度な白色校正を行うことが困難となる。
【０００５】
また、特許文献１の技術では、白色校正板として樹脂を採用した場合であっても高精度な白色校正を行うことを考慮した記載が全くなされていない。
【０００６】
本発明の目的は、白色校正板としてセラミックよりも安価な材料を採用した場合であっても、高精度に白色校正を行うことができる測色装置及び白色校正方法を提供することである。
【課題を解決するための手段】
【０００７】
（１）本発明の一局面による測色装置は、白色樹脂により構成された白色校正板と、前記白色校正板を保護するために白色校正板の表面に設けられた透明保護部材とを備える白色校正ユニットを用いて白色校正を行い、試料を測色する測色装置であって、前記透明保護部材が取り外された第１の条件で基準測定器により予め値付けされた前記白色校正板の基準値付け値を記憶する値付け値記憶手段と、前記第１の条件で前記白色校正板を測色したときの第１の測色データと、前記透明保護部材が取り付けられた第２の条件で前記白色校正板を測色したときの第２の測色データとに基づいて予め算出されたものであり、前記基準値付け値を前記第２の条件で値付けされた基準値付け値に補正するための補正係数を記憶する係数記憶手段と、試料を測色する際の白色校正値を得るために、前記第２の条件で前記白色校正板を測色したときの校正時測色データを取得する取得手段と、前記補正係数を基に、前記値付け値記憶手段に記憶された基準値付け値を前記第２の条件で測色された基準値付け値に補正し、補正した基準値付け値と、前記校正時測色データとを基に、前記白色校正値を算出する白色校正値算出手段とを備えることを特徴とする。
【０００８】
この構成によれば、白色校正板として加工が容易な白色樹脂を採用したため、白色校正板を低コストで製造することができる。また、白色校正板の表面に透明保護部材を設けたため、セラミック及びガラスに比べて強度の弱い白色樹脂を保護することができる。このため、白色樹脂の表面に傷がつくことを防止することができ、高精度な白色校正を行うことができる。
【０００９】
また、白色校正板の表面に透明保護部材を設けた場合、この透明保護部材の存在により白色校正板を精度良く測色することができなくなるおそれがある。
【００１０】
そこで、係数記憶手段は、白色校正ユニットから透明保護部材が取り外された第１の条件で白色校正板を測色したときの第１の測色データと、白色校正ユニットから透明保護部材が取り付けられた第２の条件で白色校正板を測色したときの第２の測色データとに基づいて予め算出された補正係数を記憶している。
【００１１】
そして、第１の条件で値付けされた白色校正板の基準値付け値が、補正係数に基づいて第２の条件で値付けされた基準値付け値に補正される。そして、補正された基準値付け値と、第２の条件で白色校正板を測色したときの校正時測色データとを基に白色校正値が算出される。
【００１２】
そのため、透明保護部材の存在が考慮された白色校正値が算出され、高精度な白色校正を行うことができる。
【００１３】
また、値付け値記憶手段と係数記憶手段とを備えているため、試料を測色する直前に校正時測色データを取得するだけで、透明保護部材の存在が考慮された白色校正値が得られ、精度のよい白色校正を行うことができる。
【００１４】
（２）前記補正係数は、前記第１の測色データをＤ１、前記第２の測色データをＤ２、前記補正係数をＫとすると、Ｋ＝Ｄ２／Ｄ１により算出されることが好ましい。
【００１５】
この構成によれば、第１の条件で値付けされた基準値付け値を第２の条件で値付けされた基準値付け値に精度良く補正することができる補正係数を得ることができる。
【００１６】
（３）前記白色校正値算出手段は、前記校正時測色データをＤ３、前記基準値付け値をＡ、前記白色校正値をＷとすると、Ａ・Ｋにより基準値付け値Ａを補正し、補正した基準値付け値Ａ´とすると、Ａ´／Ｄ３により前記白色校正値Ｗを算出することが好ましい。
【００１７】
この構成によれば、透明保護部材の存在が考慮された白色校正値を精度良く求めることができる。
【００１８】
（４）前記取得手段は、試料を測色したときの試料測色データＤ４を取得し、前記白色校正値算出手段により算出された白色校正値Ｗと試料測色データＤ４とを基に、前記試料の色情報を算出する色情報算出手段を更に備えることが好ましい。
【００１９】
この校正によれば、精度良く白色校正された白色校正値を用いて色情報を得ることができる。
【００２０】
（５）本発明の別の一局面による白色校正方法は、白色樹脂により構成された白色校正板と、前記白色校正板を保護するために白色校正板の表面に設けられた透明保護部材とを備える白色校正ユニットを用いて白色校正を行い、試料を測色する測色装置の白色校正方法であって、前記透明保護部材が取り外された第１の条件で基準測定器により予め値付けされた前記白色校正板の基準値付け値を取得するステップと、前記第１の条件で前記白色校正板を測色したときの第１の測色データと、前記透明保護部材が取り付けられた第２の条件で前記白色校正板を測色したときの第２の測色データとに基づいて、前記基準値付け値を前記第２の条件で値付けされた基準値付け値に補正するための補正係数を算出するステップと、試料を測色する際の白色校正値を得るために、前記第２の条件で前記白色校正板を測色したときの校正時測色データを取得するステップと、前記補正係数を基に、前記基準値付け値を前記第２の条件で測色された基準値付け値に補正し、補正した基準値付け値と、前記校正時測色データとを基に、前記白色校正値を算出するステップとを備えることを特徴とする。
【発明の効果】
【００２１】
本発明によれば、白色校正板としてセラミックよりも安価な材料を採用した場合であっても、高精度に白色校正を行うことができる。
【発明を実施するための最良の形態】
【００２２】
以下、本発明の実施の形態による測色装置について説明する。この測色装置は、白色樹脂により構成された白色校正板と、白色校正板を保護するために白色校正板の表面に設けられた透明保護部材とを備える白色校正ユニットを用いて白色校正を行い、試料を測色する装置である。
【００２３】
図１は、本発明の一実施の形態による測色装置２０が白色校正時に用いる白色校正ユニット１０の外観構成図を示している。図２は、図１に示す白色構成ユニットの２−２方向からの断面図を示している。図３は、図２に示す断面図の主要部を拡大した図である。なお、図１〜図３に示すＺは高さ方向を示し、Ｘは横方向を示し、Ｙは縦方向を示しており、Ｘ，Ｙ，Ｚは互いに直交する。また、必要に応じて＋Ｚ方向を上方向、−Ｚ方向を下方向として説明する。
【００２４】
図１に示すように白色校正ユニット１０は、−Ｚ方向視がほぼ滴状の筐体１１により覆われている。筐体１１は、上蓋１１１と底面１１２（図２）とを備えている。上蓋１１１の上面の−Ｙ方向側には、受光部１２が設けられている。また、上蓋１１１の上面の＋Ｙ方向側には、ユーザが白色校正ユニット１０を把持するための把持部１３が設けられている。
【００２５】
受光部１２は、図２及び図３に示すように、白色校正板１２３を保護するための透明保護部材１２２と、白色校正板１２３と、白色校正板１２３のバッキング材である保持部材１２４と、バネ１２５とを備えている。
【００２６】
受光部１２は、−Ｚ方向視が円形、かつ、＋Ｘ方向視が図２に示すようにすり鉢状に窪んだ窪み部１２１が設けられている。窪み部１２１の外周には、＋Ｚ方向に突出した土手部１２１ａが設けられている。窪み部１２１の中央には、窪み部１２１の底面から＋Ｚ方向に多少突出した透明保護部材１２２が設けられている。透明保護部材１２２は−Ｚ方向視が円形、かつ＋Ｘ方向視がフランジ状の透明な部材により構成されている。透明保護部材１２２としては、例えば透明なプラスチックを採用することができる。具体的には、透明保護部材１２２は、図３に示すように平板状の天井部１３１と、天井部１３１の外周から−Ｚ方向に向けて延設された円筒状の側面部１３２と、側面部１３２の下端から外側に伸びる脚部１３３とを備えている。
【００２７】
脚部１３３は、底面１１２の上面に設置されている。脚部１３３には位置決め用孔１３３ａと複数のネジ用孔１３３ｂとが形成されている。底面１１２には、孔１３３ａ、１３３ｂと対向する位置に複数の孔１１２ａ、１１２ｂが形成されている。孔１３３ａ及び孔１１２ａには上蓋１１１に設けられた位置決め用の凸部１１１ａが嵌め込まれている。また、上蓋１１１において、孔１３３ｂ及び孔１１２ｂと対向する箇所にはネジ穴が形成されている。そして、上蓋１１１のネジ穴、孔１３３ｂ、及び孔１１２ｂには、底面１１２側からネジ１３４がネジ込まれている。これにより、透明保護部材１２２は、上蓋１１１に取り付けられる。
【００２８】
天井部１３１の下面には、円盤状の白色校正板１２３が当接されている。白色校正板１２３としては、セラミック及びガラスに比べて加工が容易な白色樹脂を採用することができ、本実施の形態では、ポリテトラフルオロエチレン（ＰＴＦＥ）が採用される。白色校正板１２３の直径は天井部１３１の直径とほぼ同一である。また、白色校正板１２３として、ＰＴＦＥに代えて、ポリカーカーボネートを採用してもよい。
【００２９】
白色校正板１２３の下面には、白色校正板１２３を天井部１３１に当接するための円盤状の保持部材１２４が設けられている。ここで、保持部材１２４の直径は、白色校正板１２３の直径とほぼ同一である。保持部材１２４の色としては、白色校正板１２３から光が透過することを防止することが可能な色である明度の低い色、例えば黒色を採用することが好ましい。
【００３０】
底面１１２には、−Ｚ方向視が円状、かつ＋Ｘ方向視が凸状のバネ位置決め部１１２ｂが形成されている。底面１１２と保持部材１２４との間にはバネ１２５が設けられている。バネ１２５は、保持部材１２４を＋Ｚ方向に付勢する。これにより、白色校正板１２３は、全域が均等な力で天井部１３１に押圧される。
【００３１】
図４は、測色装置２０の全体構成図を示している。図４に示すように測色装置２０は、
光源２１、照明光学系２２、発光回路２３、分光部２４、制御部２５、及び測定トリガ部２６を備えている。
【００３２】
光源２１は、例えば白色の光を出力する発光ダイオードにより構成されている。照明光学系２２は、光源２１からの光を反射させる反射ミラー２２１と、反射ミラー２２１により反射された光を試料測定面ＳＦ１に集光させるトロイダルミラー２２２と、試料測定面ＳＦ１からの反射光を集光して光ファイバ２７に導くレンズ２２３とを備えている。
【００３３】
反射ミラー２２１は、光源２１の中心を上下に貫く中心軸Ｃ１に、中心が位置するように光源２１の上側に配置されている。そして、反射ミラー２２１は、光源２１から出力された光をリング状に反射して、トロイダルミラー２２２に導く。なお、反射ミラー２２１によりリング状に反射された光の光軸は中心軸Ｃ１と平行である。
【００３４】
トロイダルミラー２２２は、中心軸Ｃ１に中心が位置するように、光源２１の下側であって、反射ミラー２２１と対向する位置に配置されている。そして、トロイダルミラー２２２は、反射ミラー２２１から反射された光を下側に設けられた試料測定面ＳＦ１に集光させる。
【００３５】
ここで、トロイダルミラー２２２は、非球面反射鏡であり、球面鏡と比べて非点収差が少なく、点光源からの発散光をほぼ１点に集光することができる。
【００３６】
トロイダルミラー２２２から試料測定面ＳＦ１に集光された光は、試料測定面ＳＦ１に配置された試料を照射する。レンズ２２３は、中心が中心軸Ｃ１に位置するようにトロイダルミラー２２２の内側に配置され、試料からの反射光を集光させて光ファイバ２７に導く。光ファイバ２７は、試料からの反射光を分光部２４に導く。
【００３７】
発光回路２３は、制御部２５の制御の下、光源２１を駆動させる。分光部２４は、スリット２４１、回折格子２４２、及びラインセンサ２４３を備えている。スリット２４１は、光ファイバ２７により導かれた反射光を分光部２４の内部に入射させる。
【００３８】
回折格子２４２は、例えば反射型の回折格子により構成され、スリット２４１を介することで帯状の光束とされた光を波長に応じて分光させる。具体的には、回折格子２４２に入射された光は、波長ごとに異なる方向に反射される。なお、回折格子２４２としては、反射型の回折格子に代えて、例えば透過型の回折格子を採用してもよい。
【００３９】
ラインセンサ２４３は複数の受光素子が所定の配列方向に配列され、その配列方向は、回折格子２４２により分光された光が並ぶ方向と同一である。そのため、回折格子２４２で分光された波長の異なる光は、対応する受光素子に入射される。これにより、ラインセンサ２４３は、波長に応じた光を検出することができる。本実施の形態では、ラインセンサ２４３を構成する複数の受光素子は、例えば、１２８個であり、４ｎｍの間隔で配列されている。
【００４０】
制御部２５は、ＣＰＵ、ＥＥＰＲＯＭ（Electrically Erasable Programmable ROM）、及びＲＡＭ等から構成され、値付け値記憶部２５１、係数記憶部２５２、取得部２５３、白色校正値算出部２５４、白色校正値記憶部２５５、及び色情報算出部２５６を備えている。これらの各ブロックは、例えば、ＣＰＵがＲＯＭに記憶された制御プログラムを実行することで実現される。
【００４１】
値付け値記憶部２５１は、透明保護部材１２２が取り外された第１の条件で基準測定器により予め値付けされた白色校正板１２３の基準値付け値Ａを記憶する。ここで、基準測定器は白色校正板１２３の反射率を測定し、この反射率を基準値付け値Ａとして白色校正板を値付ける。そのため、値付け値記憶部２５１が記憶する基準値付け値Ａとしては、例えば白色校正板１２３の反射率が採用される。
【００４２】
係数記憶部２５２は、第１の条件で白色校正板１２３を測色したときの測色データＤ１（第１の測色データの一例）と、透明保護部材１２２が取り付けられた第２の条件で白色校正板１２３を測色したときの測色データＤ２（第２の測色データの一例）とに基づいて予め算出されたものであり、基準値付け値Ａを第２の条件で測色された基準値付け値Ａに補正するための補正係数Ｋを記憶する。
【００４３】
ここで、補正係数Ｋは、例えば測色装置２０が工場から出荷される前において、以下のようにして算出され、係数記憶部２５２に記憶される。まず、透明保護部材１２２が取り外された白色校正ユニット１０が、試料測定面ＳＦ１に設置される。次に、測定トリガ部２６がオペレータからの測色指令を受け付けると、発光回路２３により光源２１が駆動され、光源２１からの光が白色校正板１２３に照射される。白色校正板１２３の反射光は、光ファイバ２７を介して分光部２４に入射し、スリット２４１及び回折格子２４２を介してラインセンサ２４３により受光される。そして、取得部２５３は、ラインセンサ２４３により受光された反射光を例えばＡ／Ｄ変換し、測色データＤ１として取得する。
【００４４】
次に、透明保護部材１２２が取り付けられた白色校正ユニット１０が、試料測定面ＳＦ１に設置されると、取得部２５３は、測色データＤ１と同様にして、測色データＤ２を取得する。
【００４５】
次に、取得部２５３はＫ＝Ｄ２／Ｄ１により補正係数Ｋを算出し、この補正係数Ｋを値付け値記憶部２５１に格納する。
【００４６】
取得部２５３は、測色データＤ１，Ｄ２を取得すると共に、試料を測色する際の白色校正値を得るために、第２の条件で白色校正板１２３を測色したときの校正時測色データＤ３を取得する。
【００４７】
ここで、校正時測色データＤ３は、試料を測色するに際して測色装置２０使用するユーザの測色指令に基づいて取得されるものである。具体的には、校正時測色データＤ３は、ユーザが白色校正ユニット１０を試料測定面ＳＦ１に設置し、測定トリガ部２６に測定指令を入力することで、取得部２５３により取得される。
【００４８】
更に、取得部２５３は、試料を測色したときの試料測色データＤ４を取得する。
【００４９】
白色校正値算出部２５４は、補正係数Ｋを基に、値付け値記憶部２５１に記憶された基準値付け値Ａを第２の条件で測色された基準値付け値Ａ´に補正し、補正した基準値付け値Ａ´と、校正時測色データＤ３とを基に、白色校正値Ｗを算出する。
【００５０】
具体的には、白色校正値算出部２５４は、Ａ´＝Ａ・Ｋにより基準値付け値Ａを補正し、Ｗ＝Ａ´／Ｄ３により白色校正値Ｗを算出する。
【００５１】
白色校正値記憶部２５５は、白色校正値算出部２５４により算出された白色校正値Ｗを記憶する。なお、白色校正値記憶部２５５は、白色校正値記憶部２５５が新たに白色校正値Ｗを算出したとき、現在記憶している白色校正値Ｗを削除し、新たに算出された白色校正値Ｗを記憶するようにしてもよい。
【００５２】
色情報算出部２５６は、白色校正値算出部２５４により算出された白色校正値Ｗを白色校正値記憶部２５５から読み出し、読み出した白色校正値Ｗと試料測色データＤ４とを用いて、試料の色情報を算出する。本実施の形態では、色情報算出部２５６は、例えば試料測色データＤ４に白色校正値Ｗを乗じることで、試料の反射率Ｒ（＝Ｄ４・Ｗ）を算出し、算出した反射率Ｒから彩色値を算出し、この彩色値を色情報として算出する。
【００５３】
測定トリガ部２６は、測色装置２０に測定開始を指示するためのスイッチにより構成されている。
【００５４】
制御部２５には、コンピュータ３０が接続されている。コンピュータ３０は、例えばパーソナルコンピュータ（ＰＣ）により構成され、色情報算出部２５６により算出された色情報を表示装置に表示させる。ここで、コンピュータ３０は、白色校正値算出部２５４で算出された白色校正値Ｗ、色情報算出部２５６により算出された反射率Ｒ、取得部２５３により取得された測色データＤ１，Ｄ２、校正時測色データＤ３、及び試料測色データＤ４を表示してもよい。
【００５５】
次に、補正係数Ｋの算出工程について説明する。図５は、補正係数の算出工程を示すフローチャートである。この補正係数の算出工程は、例えば測色装置２０が出荷される前に実行される。まず、基準測定器は、透明保護部材１２２が取り外された第１の条件で白色校正板１２３の反射光を測定し、白色校正板１２３を値付け、基準値付け値Ａを取得する（ステップＳ１）。
【００５６】
次に、取得部２５３は、透明保護部材１２２が取り外された第１の条件で白色校正板１２３を測色し、測色データＤ１を取得する（ステップＳ２）。次に、取得部２５３は、透明保護部材１２２が取り付けられた第２の条件で白色校正板１２３を測色し、測色データＤ２を取得する（ステップＳ３）。なお、ステップＳ２、Ｓ３の順序は逆であってもよい。次に、取得部２５３は、Ｄ２／Ｄ１により補正係数Ｋを算出する（ステップＳ４）。
【００５７】
次に、制御部２５は、ステップＳ１で取得された基準値付け値を取得し、値付け値記憶部２５１に格納する（ステップＳ５）。ここで、制御部２５は、基準値付け値Ａを取得するための入力ポートを備え、この入力ポートに基準測定器が接続されることで、基準値付け値Ａを取得すればよい。次に、取得部２５３は、補正係数Ｋを係数記憶部２５２に格納する（ステップＳ６）。
【００５８】
次に、ユーザが白色校正を行う際の処理工程について説明する。図６は、白色校正の処理工程を示すフローチャートである。この白色校正は、例えば測色対象となる試料を測色する際の前処理として行われる。ここで、試料の測色を複数回行う場合は、試料を測色する毎に白色校正を行っても良いし、複数回の測色に先立って１回だけ白色校正を行っても良い。
【００５９】
まず、白色校正ユニット１０が試料測定面ＳＦ１に設置される。ここで、白色校正ユニット１０は、透明保護部材１２２が試料測定面ＳＦ１に当接するように設置される（ステップＳ１１）。
【００６０】
次に、ユーザは、測定トリガ部２６に測色指令を入力し、光源２１に白色校正板１２３を照射させる（ステップＳ１２）。次に、取得部２５３は、白色校正板１２３の反射光を校正時測色データＤ３として取得する（ステップＳ１３）。ここで、校正時測色データＤ３は、例えばＲＡＭに一時的に記憶される。次に、ユーザは、試料測定面ＳＦ１に設置した白色校正ユニットを取り外す（ステップＳ１４）。
【００６１】
次に、試料を測色する際の測色装置２０の処理について説明する。図７は、測色装置２０が試料を測色する際の処理を示すフローチャートである。まず、ユーザにより測色対象となる試料が試料測定面ＳＦ１に設置される（ステップＳ２１）。この場合、試料は、測色面が試料測定面ＳＦ１に当接するように設置される。
【００６２】
次に、測定トリガ部２６がユーザからの測色指令を受け付ける（ステップＳ２２）。次に、光源２１は試料に光を照射する（ステップＳ２３）。次に、取得部２５３は、試料からの反射光を試料測色データＤ４として取得する（ステップＳ２４）。
【００６３】
次に、白色校正値算出部２５４は、値付け値記憶部２５１に記憶された基準値付け値Ａに、係数記憶部２５２に記憶された補正係数Ｋを乗じ、基準値付け値Ａを補正する（ステップＳ２５）。次に、白色校正値算出部２５４は、補正された基準値付け値Ａ´（＝Ａ・Ｋ）と、図６のステップＳ１３で取得した校正時測色データＤ３とから、Ｗ＝Ａ´／Ｄ３の演算を実行し、白色校正値Ｗを算出する（ステップＳ２６）。
【００６４】
次に、色情報算出部２５６は、白色校正値ＷにステップＳ２４で取得した試料測色データＤ４を乗じ、試料の反射率Ｒ（＝Ｗ・Ｄ４）を算出する（ステップＳ２７）。次に、色情報算出部２５６は、算出した反射率Ｒから例えばＬ＊ａ＊ｂ＊表色系で表される色彩値を算出する（ステップＳ２８）。
【００６５】
ここで、色情報算出部２５６は、Ｌ＊ａ＊ｂ＊表色系以外の例えば、ＲＧＢ表色系、ＸＹＺ表色系、ｘｙＹ表色系、Ｌ＊ｕ＊ｖ＊表色系等のＣＩＥ（国際照明委員会）表色系を色情報として算出してもよい。
【００６６】
次に、色情報算出部２５６は、で算出した色彩値をコンピュータ３０に出力し、コンピュータ３０は、色彩値を表示装置に表示させる（ステップＳ２９）。
【００６７】
このように、測色装置２０によれば、白色校正板１２３として加工が容易な白色樹脂を採用したため、白色校正板１２３を低コストで製造することができる。また、白色校正板１２３の表面に透明保護部材１２２を設けたため、セラミック及びガラスに比べて強度の弱い白色樹脂を保護することができる。このため、白色樹脂の表面に傷がつくことを防止することができ、高精度な白色校正を行うことができる。
【００６８】
ここで、白色校正板１２３の表面に透明保護部材１２２を設けた場合、この透明保護部材１２２の存在により白色校正板１２３を精度良く測色することができなくなる。
【００６９】
そこで、係数記憶部２５２は、白色校正ユニット１０から透明保護部材１２２が取り外された第１の条件で白色校正板１２３を測色したときの測色データＤ１と、白色校正ユニット１０から透明保護部材１２２が取り付けられた第２の条件で白色校正板１２３を測色したときの測色データＤ２とから、Ｄ２／Ｄ１により予め算出された補正係数Ｋを記憶している。
【００７０】
そして、第１の条件で値付けされた白色校正板１２３の基準値付け値Ａに、補正係数Ｋが乗じられ、基準値付け値Ａが第２の条件で値付けされた基準値付け値Ａ´（＝Ｋ・Ａ）に補正される。そして、補正された基準値付け値Ａ´と、第２の条件で白色校正板１２３を測色したときの校正時測色データＤ３とから、白色校正値Ｗ（＝Ａ´／Ｄ３）が算出される。
【００７１】
本測色装置２０は、白色校正ユニット１０が透明保護部材１２２を備えているため、透明保護部材１２２の厚み分の隙間ができた状態で校正時測色データＤ３を得ることになる。
【００７２】
一方、測色対象となる試料は透明保護部材１２２が介在しない。したがって、本測色装置２０では、白色校正板１２３を測色する時と、試料を測色する時とにおいて測色条件が異なり、透明保護部材１２２の存在が考慮されていない従来の白色校正方法を、そのまま適用すると、高精度な白色校正値を得ることができなくなる。具体的には、従来の白色校正方法では、補正係数Ｋを用いることなく、Ｗ＝Ａ／Ｄ３により白色校正値Ｗが算出されることになる。
【００７３】
そこで、上記の白色校正方法を採用することで、透明保護部材１２２の存在が考慮された白色校正値Ｗが算出され、高精度な白色校正を行うことができる。
【００７４】
また、値付け値記憶部２５１と係数記憶部２５２とを備えているため、試料を測色する直前に校正時測色データＤ３を取得するだけで、透明保護部材１２２の存在が考慮された白色校正値Ｗが得られ、精度のよい白色校正を行うことができる。
【００７５】
ここで、補正係数Ｋを用いて補正された基準値付け値Ａ´（＝Ａ・Ｋ）を出荷前にＥＥＰＲＯＭ等に予め記憶させ、白色校正時にＷ（＝Ａ´／Ｄ３）により白色校正値Ｗを算出することも考えられる。
【００７６】
しかしながら、こうすると、基準値付け値Ａは、白色校正ユニット１０の固体別に値が異なるため、白色校正ユニット１０のみを別の白色校正ユニット１０に交換した場合に、白色校正値Ｗを精度良く算出することができなくなる。
【００７７】
そこで、基準値付け値Ａと、補正係数Ｋとを個別に記憶することで、白色校正ユニット１０が交換された場合であっても、精度良く白色校正を行うことができる。
【００７８】
なお、補正係数Ｋについては、白色校正ユニット１０が新しく交換される際に、サービスマンを、測色装置２０を所持するユーザ先に派遣する。そして、サービスマンが、新しく交換される白色校正ユニット１０から透明保護部材１２２を取り外し、ユーザが所持する測色装置２０に白色校正板１２３を測色させ、測色データＤ１を取得させる。また、サービスマンは新しく交換される白色校正ユニット１０に透明保護部材１２２を取り付け、この測色装置２０に白色校正板を測色させ、測色データＤ２を取得させる。そして、この測色装置２０は、Ｄ２／Ｄ１により補正係数Ｋを求め、係数記憶部２５２に書き込めばよい。
【００７９】
また、サービスマンは、新しい白色校正ユニット１０の白色校正板１２３に値付けされた新しい基準値付け値Ａが予め記憶された携帯可能な記憶装置を測色装置２０に接続することで、この新しい基準値付け値Ａを基準値付け値記憶部２５１に書き込ませればよい。
【００８０】
以上により、測色装置２０は、新しく交換された白色校正ユニット１０の基準値付け値Ａに対応する補正係数Ｋを取得することが可能となり、この白色校正ユニット１０を用いた白色校正を精度良く行うことができる。
【図面の簡単な説明】
【００８１】
【図１】本発明の一実施の形態による測色装置が白色校正時に用いる白色校正ユニットの外観構成図を示している。
【図２】図１に示す白色構成ユニットの２−２方向からの断面図を示している。
【図３】図２に示す断面図の主要部を拡大した図である。
【図４】本発明の一実施の形態による測色装置の全体構成図を示している。
【図５】補正係数の算出工程を示すフローチャートである。
【図６】白色校正の処理工程を示すフローチャートである。
【図７】測色装置が試料を測色する際の処理を示すフローチャートである。
【符号の説明】
【００８２】
１０  白色校正ユニット
２０  測色装置
２５  制御部
１２２  透明保護部材
１２３  白色校正板
２５１  値付け値記憶部
２５２  係数記憶部
２５３  取得部
２５４  白色校正値算出部
２５５  白色校正値記憶部
２５６  色情報算出部
Ｄ１，Ｄ２  測色データ
Ｄ３  校正時測色データ
Ｄ４  試料測色データ
Ｋ  補正係数
Ｒ  反射率
Ｗ  白色校正値
【図１】
2010085327.tif 000003
【図２】
2010085327.tif 000004
【図３】
2010085327.tif 000005
【図４】
2010085327.tif 000006
【図５】
2010085327.tif 000007
【図６】
2010085327.tif 000008
【図７】
2010085327.tif 000009